(57)【特許請求の範囲】
【請求項１】
支柱に回転不可であって摺動可能に装着された支持板と、
該支持板を前記支柱の所望な位置で固定する支持板固定手段と、
前記支持板の支柱への前記支持板固定手段による固定を解除する解除手段と、
前記支柱に回転および摺動可能に取付けられ、前記支持板に支持される可動体と、
前記可動体の回転角度を調整する可動体回転角度調整手段とを具備することを特徴とするロック装置。
【請求項２】
前記支持板は、少なくとも２本の支柱に摺動可能に挿通され回転が拘束されていることを特徴とする請求項１記載のロック装置。
【請求項３】
前記支持板固定手段は、支柱に巻締め方向に付勢されて挿着されたコイルばねであることを特徴とする請求項１または２に記載のロック装置。
【請求項４】
前記解除手段は、前記コイルばねの一端を拡径方向に回動させる解除レバーであることを特徴とする請求項３記載のロック装置。
【請求項５】
前記支持板には円筒部が突設され、支柱はこの円筒部に挿通され、前記可動体は前記支持板の円筒部に回転可能に外嵌して取り付けられ、
前記可動体回転角調整手段は、前記支持板円筒部の上端外周面に形成されたねじ部と螺合して可動体を締め付けるねじであることを特徴とする請求項１、２、３または４に記載のロック装置。
【請求項６】
前記支持板の円筒部基端外周面および可動体の下面には、互に噛合する歯部が放射状に形成されていることを特徴とする請求項５記載のロック装置。
【請求項７】
前記歯部は山型であることを特徴とする請求項６記載のロック装置。
【請求項８】
前記支持板の支柱が挿通する挿通孔は、支柱の直径と略等しい小径部と、それより大径の大径部とより形成され、小径部と大径部との境界に形成された段部は、傾斜面に形成され、前記支柱に挿通されたコイルばねは、その上端部の一部を段部の傾斜面の下方側に接し大径部に位置して設けられ、前記解除手段である解除レバーは、前記コイルばねの直下に位置して支柱に回動自在に設けられ、コイルばねの一端部が解除レバーの一部に係止され、解除レバーを回動しこのコイルばねの端部を拡径方向に回転させることでロック解除を行うことを特徴とする請求項１、３、４、５または６に記載のロック装置。
【発明の詳細な説明】
【０００１】
【発明の属する技術分野】
この発明は、例えば扇風機や照明器具などの装置を装着するスタンドに用いて好適なロック装置に関する。
【０００２】
【従来の技術】
従来、扇風機や照明器具などの各種装置を装着するスタンドは、基台と、当該基台に垂直に取り付けられた支柱とから構成されており、前記支柱の所望の位置にロック装置としての固定機構を使用して扇風機や照明器具などの各種装置を取り付ける。この固定機構は、支柱が挿通する円筒状に湾曲された両端部に、フランジが間隔を有して対向して設けられ、支柱に対し摺動自在および回転自在であるが、フランジ同士をねじで締め付けることによって支柱にロック可能としたもので、このような固定機構により扇風機や照明器具などの各種装置や器具などを支柱の所望の位置へ固定するものである。
【０００３】
【発明が解決しようとする課題】
例えば、扇風機や照明器具などの各種装置や器具を装着するスタンド、支柱に固定機構として用いられている従来のロック装置は、以上のように構成されているので、位置の調整をするには、いちいちねじを緩め、また締めるという作業をしなければならないし、円筒状部で支柱を強く抱持する格好で支持するだけなので、大きな負荷がかかるとずり落ちたり、振動によりねじが緩みずり落ちたりして安定性に欠ける、等の課題がある。
【０００４】
本発明は上記のような課題を解消するためになされたもので、支柱の所望の位置への各種装置の固定や、前記支柱に対する前記各種装置の装着位置の変更を簡単な構造で実現するロック装置を提供することにある。
【０００５】
【課題を解決するための手段】
前記目的を達成するため、本発明に係るロック装置は、支柱に回転不可であって摺動可能に装着された支持板と、
該支持板を前記支柱の所望な位置で固定する支持板固定手段と、
前記支持板の支柱への前記支持板固定手段による固定を解除する解除手段と、
前記支柱に回転および摺動可能に取付けられ、前記支持板に支持される可動体と、
前記可動体の回転角度を調整する可動体回転角度調整手段とを具備することを特徴とする。
【０００６】
また、本発明に係るロック装置は、前記支持板が、少なくとも２本の支柱に挿通され回転が拘束されていることを特徴とする。
【０００７】
また、本発明に係るロック装置は、前記支持板固定手段が、支柱に巻締め方向に付勢されて挿着されたコイルばねであることを特徴とする。
【０００８】
また、本発明に係るロック装置は、前記解除手段が、前記コイルばねの一端を拡径方向に回動させる解除レバーであることを特徴とする。
【０００９】
また、本発明に係るロック装置は、前記支持板には円筒部が突設され、支柱はこの円筒部に挿通され、前記可動体は前記支持板の円筒部に回転可能に外嵌して取り付けられ、
前記可動体回転角調整手段が、前記支持板円筒部の上端外周面に形成されたねじ部と螺合して可動体を締め付けるねじであることを特徴とする。
【００１０】
また、本発明に係るロック装置は、前記支持板の円筒部基端外周面および可動体の下面には、互に噛合する歯部が放射状に形成されていることを特徴とする。
【００１１】
また、本発明に係るロック装置は、前記歯部が山型であることを特徴とする。
【００１２】
さらに、本発明に係るロック装置は、前記支持板の支柱が挿通する挿通孔は、支柱の直径と略等しい小径部と、それより大径の大径部とより形成され、小径部と大径部との境界に形成された段部は、傾斜面に形成され、前記支柱に挿通されたコイルばねは、その上端部の一部を段部の傾斜面の下方側に接し大径部に位置して設けられ、前記解除手段である解除レバーは、前記コイルばねの直下に位置して支柱に回動自在に設けられ、コイルばねの一端部が解除レバーの一部に係止され、解除レバーを回動しこのコイルばねの端部を拡径方向に回転させることでロック解除を行うことを特徴とする。
【００１３】
【実施例】
以下、本発明の一実施の形態を図と共に説明する。
図１は、本発明の一実施の形態を示す正面図（ａ）および側面図（ｂ）、図２は図１（ｂ）におけるＡ−Ａ断面図、図３は図１（ａ）におけるＢ−Ｂ断面図である。同図において、図示していない基台に第１の支柱１および第２の支柱２が垂直に固定され、この支柱１および２には支持板３が、摺動自在であって回転が拘束されて取り付けられている。第２の支柱２は、支持板３の回転を拘束するためにある。
【００１４】
図４は、前記支持板３の構成図であり、（ａ）は平面図、（ｂ）は正面図、（ｃ）は底面図である。
支持板３は、図４に示すように円筒部３ｂが設けられ、この円筒部に第１の支柱１が挿通する挿通孔が設けられる。この挿通孔は第１の支柱１と略等しい小径部３ｄと、これより大径の大径部３ｅとより形成され、この小径部３ｄと大径部３ｅとの境界の段部３ｆは、傾斜面に形成されている。
また、前記円筒部３ｂの先端部には、ねじ３ｃが形成され、また、円筒部３ｂの基端側には、円筒部３ｂを中心とする放射状に歯部３ａが形成されている。尚、３ｇは第２の支柱２が挿通する挿通孔である。
【００１５】
前記支持板３の大径部３ｅの部分には、図２に示すように支柱１に挿着されたコイルばね４が位置する。このコイルばね４は、支柱１を締め付ける方向に付勢されて挿着されるとともに、一端側は屈曲された屈曲部４ａに形成され、この屈曲部４ａは支持板３の溝３ｈに挿入されており、他端側は自由端となっている。また、このコイルばね４の上面は、図２に示すように一部は段部３ｆの傾斜面に接しており、他方は図６（ａ）に示すように間隔Ｈだけ離れている。
【００１６】
また、支柱１には支持板３の下面に位置し、解除レバー５が回動可能に取り付けられている。図７は、この解除レバー５を示す斜視図であり、上端面には前記コイルばね４の下端部の自由端と係合する係合部５ａが形成され、この係合部５ａからコイルばね４の傾斜に合せた傾斜面５ｂとなっている。
【００１７】
前記解除レバー５の下側には、キャップ６が設けられ、解除レバー５が回動可能に支持されると共に、解除レバー５を介しコイルばね４の脱落も防止される。このキャップ６は、図２に示すように前記支持板３にねじ７止めされて固定される。図４（ｂ）および（ｃ）における３ｉは、このねじ７めの支持板３に設けられたねじ孔である。
【００１８】
また、前記支柱１に取り付けられた支持板３の円筒部３ｂには、可動体８が回動自在に挿着される。
図５は、この可動体８の構成を示し、（ａ）は正面図、（ｂ）は底面図である。可動体８は、図５（ａ）（ｂ）に示すように、前記支持板３の円筒部３ｂが挿通する孔８ｂが開通すると共に、底面には、この孔８ｂを中心に前記支持板３の歯部３ａと噛合する歯部８ａが形成されている。この可動体８は、支持板３の円筒部３ｂ先端に設けられたねじ３ｃにナット９が螺合されて締め付け固定されている。
【００１９】
しかして、このナット９を緩めることによって、可動体８の回転が自由となるため回転角を自由に調整することができる。この時、可動体８の歯部８ａと支持板３の歯部３ａとが噛合しているため、可動体８の回動は、クリック感を生ずる。
【００２０】
また、コイルばね４は、支柱１を締め付けているため移動は阻止され、このため支持板３も摺動できない（図６（ａ））。そして、例えば可動体に図示していない扇風機や照明器具等の装置や器具を挿着して支持板３に負荷がかかると、図６（ｂ）に示すように段部３ｆが傾斜面となっているため、先ずコイルばね４の一端側が押下され、コイルばね４も傾斜して支柱１にロック状態となり、支持板３の摺動もロックされることとなる。
【００２１】
また、コイルばね４の一端側は、支持板３の溝３ｈに挿入され、他端側は自由端となっており、解除レバー５の係合部５ａは、このコイルばね４の自由端と係合しているため、解除レバー５をコイルばね４の拡径方向（巻締め方向と反対方向）に回動させると、コイルばね４は拡径し、支柱１に対するロック力が解除されるため、支持板３は自由に摺動することができ、これにより支持板３を介し可動体８を支柱１の任意の位置に調整することができる。従って、コイルばね４の外周面と大径部３ｅの壁面との間には、少しの隙間を有する。
【００２２】
以上のようにこの実施の形態によれば、第１の支柱１に対し任意の位置で支持板３を固定することが容易にでき、また固定された支持板３は、解除レバー５の操作で簡単に支柱１に沿って移動可能となるため、可動体８へ例えば扇風機、照明器具および取手などの装置や器具を取り付ければ、支柱１の任意の位置に容易に調整できるし、また、可動体８はナット９を緩めることによって回動自由となるため、回動しての調整も容易にできる。
この可動体８の回動は、可動体８の歯部８ａと支持板３の歯部３ａとが噛合しているため、クリック感を持って回動することができる。
【００２３】
尚、前記実施の形態においては、可動体８は支持板３の円筒部３ｂに回動自動に挿着されているが、これは支柱１に回動自在に取り付けてもよい。
【００２４】
また、他の実施の形態として第２の支柱２と支持板３との係合構造は、第２の支柱２が支持板３を挿通する構造ではなく、図９に示すように第２の支柱２の断面と合致する構造の内面を有した切欠部３ｊにより支持板３が第２の支柱２によりガイドされる構造であってもよく、このように構成した場合にはロック装置の組み立て作業が容易になる。
【００２５】
また、第１の支柱１や第２の支柱２の断面形状も円形以外の矩形、多角形にしてもよく、このような断面形状の支柱を用いる場合には支持板３の摺動面３ｄの構造も前記支柱の断面形状に合致する構造にする。またコイルバネ４の中心軸線に直交する面による断面も円形ではなく矩形や多角形にする。なお、このように構成した場合には第１の支柱１のみ設ければよく第２の支柱２は不要になる。
【００２６】
【発明の効果】
以上のように、本発明によれば、支持板を支柱に対し固定したり、また固定解除することが簡単な構造により出来るため、支柱の任意の位置への各種装置の固定や、前記支柱に対する前記各種装置や器具の装着位置の変更が容易に実現する効果がある。
【図面の簡単な説明】
【図１】この発明の一実施の形態を示す正面図（ａ）および側面図（ｂ）である。
【図２】図１（ｂ）におけるＡ−Ａ断面図である。
【図３】図１（ａ）におけるＢ−Ｂ断面図である。
【図４】この発明の一実施の形態を示す支持板の平面図（ａ）、正面図（ｂ）および底面図（ｃ）である。
【図５】この発明の一実施の形態を示す可動体の正面図（ａ）および底面図（ｂ）である。
【図６】この発明の一実施の形態によるコイルバネの作用を示す説明図（ａ）（ｂ）である。
【図７】この発明の一実施の形態を示す解除レバーの斜視図である。
【図８】この発明の一実施の形態によるロック装置におけるナットを緩め可動体を回転させる状態を示す正面図である。
【図９】この発明の他の実施の形態を示す支持板の平面図（ａ）、正面図（ｂ）および底面図（ｃ）である。
【符号の説明】
１    第１の支柱
２    第２の支柱
３    支持板
３ａ  歯部
３ｂ  円筒部
３ｃ  ねじ
３ｅ  径大部
３ｆ  段部（傾斜面）
３ｈ  溝
４    コイルばね
５    解除レバー
８    可動体
８ａ  歯部
９    ナット
【図１】
0003735726.tif 000002
【図２】
0003735726.tif 000003
【図３】
0003735726.tif 000004
【図４】
0003735726.tif 000005
【図５】
0003735726.tif 000006
【図６】
0003735726.tif 000007
【図７】
0003735726.tif 000008
【図８】
0003735726.tif 000009
【図９】
0003735726.tif 000010